(57)【特許請求の範囲】
【請求項１】
表示パネルの下面側に備えられて、矩形の導光板と光源を有するバックライトユニットにおいて、前記導光板の辺中央部から角部の間に前記光源を配設するＬ字形の切欠部を少なくとも１個設け、前記切欠部の前記光源の光の入光面を前記角部を通る対角線方向に向くように傾斜させて形成し、前記切欠部の位置を前記角部に近い位置に配設したときの前記入光面の傾斜角が前記辺中央部に近い位置に配設したときの前記傾斜角に比べて大きくし、前記切欠部の位置が前記導光板の辺中央部から角部に近づくに従って前記入光面の傾斜角が順次大きくなるようにしたことを特徴とするバックライトユニット。
【請求項２】
前記切欠部を前記導光板の角部に１個と前記導光板の辺中央部から角部の間に少なくとも１個設け、前記切欠部の位置を前記角部の位置に配設したときの前記入光面の傾斜角が前記辺中央部に近い位置に配設したときの前記傾斜角に比べて大きくし、前記導光板の辺中央部から角部に近づくに従って前記傾斜した入光面の傾斜角が順次大きくなるようにしたことを特徴とする請求項１に記載のバックライトユニット。
【請求項３】
前記光源は前記切欠部に埋め込んで配設されていることを特徴とする請求項１又は２のいずれか１項に記載のバックライトユニット。
【請求項４】
前記光源はＬＥＤであることを特徴とする請求項１乃至３のいずれか１項に記載のバックライトユニット。
【請求項５】
表示パネルの下面側にバックライトユニットを備えた表示機器において、前記バックライトユニットは前記請求項１乃至４のいずれか１項に記載のバックライトユニットを用いていることを特徴とする表示機器。
【発明の詳細な説明】
【技術分野】
【０００１】
本発明は表示装置のバックライトユニット、あるいは、バックライトユニットを備えた表示機器に関し、特に、バックライトユニットの大きさの最小化に関するものである。
【背景技術】
【０００２】
液晶表示装置はパーソナルコンピュータ、液晶テレビ、電子手帳、携帯電話、その他装置の端末表示機器などに広く用いられてきている。この液晶表示装置の表示画像を明るく鮮明に映し出すためにバックライトユニットを液晶表示パネルの下面側に配設して用いられる。このバックライトユニットの従来の構造の一つとして図６、図７に示す構造のものがある。以下、図６、図７を用いて従来のバックライトユニットの構造を説明する。尚、図６は従来技術における液晶表示装置の要部断面図を示していて、図７は図６における光源の配設個数による導光板の大きさを説明する説明図を示している。
【０００３】
図６に示すバックライトユニット８は液晶表示パネル１の下面側に配設されて用いられ、バックライトユニット８と液晶表示パネル１とで液晶表示装置１０を構成している。また、バックライトユニット８は、導光板２と、導光板２の一側面に配設したＬＥＤなる光源３と、導光板２の上面側に配設した光拡散シート４と、この光拡散シート４上に設けた２枚の第１のプリズムシート５及び第２のプリズムシート６と、導光板２の下面側に設けた反射板７とから構成している。ここでの第１のプリズムシート５と第２のプリズムシート６は三角形のプリズムを直線状に平行に連ねて形成したストライプ状のプリズムシートで、第１のプリズムシート５と第２のプリズムシート６とはストライプ状のプリズムが互いに直交する状態で積層されて用いられている。
【０００４】
上記の構成を取るバックライトユニット８の働きは次のようになっている。ＬＥＤなる光源３から放射された光を導光板２の側面から導光板２内に取り入れ、導光板２の下面に設けた反射手段の働きを受けて導光板２の上面から拡散シート４に向かって出射する。光拡散シート４はその入射した光を拡散して均一な光量分布状態にして第１のプリズムシート５、並びに、第２のプリズムシート６に向けて放射する。第１のプリズムシート５、及び第２のプリズムシート６では拡散された光を垂直光にして液晶表示パネル１に向けて出射する。また、導光板２の下面に設けた反射手段を通り抜けて導光板２の下方に出射した光は反射板７によって反射され、再び導光板２内に入射する。このようにして、光源３の光の多くの光量を有効的に利用して液晶表示パネル１の表示画像を明るく照明する働きをなしている。
【発明の開示】
【発明が解決しようとする課題】
【０００５】
ここで、ＬＥＤなる光源３は導光板２の一側面に近接して配設している。図７の（ａ）は光源３が導光板２の側面中心部に１個配設しており、図７の（ｂ）は光源３が導光板２の側面に２個配設している状態を示している。光源３にＬＥＤを用いるが、ＬＥＤには光放射の指向特性を持っていることからその放射領域の角度は制限される。即ち、放射領域の角度を指向角と呼ぶと、ＬＥＤは制限された指向角を持つ。図７の（ａ）において、導光板２が大きいとその制限された指向角のために導光板２全体をカバーすることが出来ず、指向角から外れた領域は光が行き届かず輝度の低い暗影部２ｆが現れる。この暗影部２ｆは輝度の高い指向角の領域内と比べると輝度が著しく異なることから非常に見栄えが悪くなって見える。この暗影部２ｆを除いての有効的に利用できる幅Ｗを得るには導光板２の幅Ｗ１を広い幅にすることが必要とされる。一方、図７の（ｂ）に示す如く、光源３を２個配設したものは、暗影部２ｆを除いての有効的に利用できる幅Ｗを得るには導光板２の幅を僅かに広くした幅Ｗ２で済む。即ち、光源３を１個配設したときの導光板２の幅Ｗ１＞光源３を２個配設したときの導光板２の幅Ｗ２の関係になる。導光板２の幅を大きくしないで暗影部２ｆを小さい面積にして輝度の明るい領域を広くするには光源３の個数を増やす必要がある。
【０００６】
しかしながら、光源３を導光板２の一側面に配設する構造は、導光板２の大きさに応じてＬＥＤなる光源３の個数を増やすことが求められることから光源３の数が増え、部品コストのアップをきたす。また、光源３を導光板２の側面に配設することから、光源３の配設スペースも必要とし、バックライトユニットの全体の大きさが大きくなってしまう。
【０００７】
本発明は、上記の課題に鑑みてなされたもので、輝度を下げずに光源の数を少なくし、更に、バックライトユニットの大きさを最小化にすることを目的とするものである。
【課題を解決するための手段】
【０００８】
上記の課題を解決するための手段として、本発明のバックライトユニットは、表示パネルの下面側に備えられて、矩形の導光板と光源を有するバックライトユニットにおいて、前記導光板の辺中央部から角部の間に前記光源を配設するＬ字形の切欠部を少なくとも１個設け、前記切欠部の前記光源の光の入光面を前記角部を通る対角線方向に向くように傾斜させて形成し、前記切欠部の位置を前記角部に近い位置に配設したときの前記入光面の傾斜角が前記辺中央部に近い位置に配設したときの前記傾斜角に比べて大きくし、前記切欠部の位置が前記導光板の辺中央部から角部に近づくに従って前記入光面の傾斜角が順次大きくなるようにしたことを特徴とするものである。
【０００９】
また、本発明のバックライトユニットは、前記切欠部を前記導光板の角部に１個と前記導光板の辺中央部から角部の間に少なくとも１個設け、前記切欠部の位置を前記角部の位置に配設したときの前記入光面の傾斜角が前記辺中央部に近い位置に配設したときの前記傾斜角に比べて大きくし、前記導光板の辺中央部から角部に近づくに従って前記傾斜した入光面の傾斜角が順次大きくなるようにしたことを特徴とするものである。
【００１３】
また、本発明のバックライトユニットは、前記光源が前記切欠部に埋め込んで配設されていることを特徴とするものである。
【００１４】
また、本発明のバックライトユニットの特徴は、前記光源はＬＥＤであることを特徴とするものである。
【００１５】
また、本発明の表示機器は、表示パネルの下面側にバックライトユニットを備えた表示機器において、前記バックライトユニットが上記の本発明のいずれかに記載の特徴を有するバックライトユニットを用いていることを特徴とするものである。
【発明の効果】
【００１６】
発明の効果として、本発明のバックライトユニットの構成は、導光板の辺中央部から角部の間に切欠部を設けて、その切欠部に光源を配設する。また、切欠部における光の入光面を角部を通る対角線の方向に向くようにして傾斜を持たせ、その傾斜角を角部に近づくに従って大きくなる構成を取る。この様な構成にすると、放射光に指向特性を持つ光源を用いる場合に、光の入光面に傾斜を持たせて角部を通る対角線の方向に向くようにすると、導光板の広い領域が光源の指向角（指向領域内の角度を云う）内に納まるようになり、また、入光面の傾斜の角度を辺中央部から角部に近づくに従って大きくなるようにすると、入光面は絶えず対角線の方向を向くようになり、光源の指向角の中に導光板の広い領域が納まるようになる。この構成は、光源を導光板の角の方向にズラした位置に傾けて配置し、導光板の斜め方向から導光板全体を照明する構成を取っている。放射光に指向特性を持つ光源を用いたときは、導光板の斜め方向から導光板全体を照明する構成にすると光源の指向角内に導光板の広い領域を納めることができる。このことにより、指向角の範囲から外れての暗影部が現れる面積が非常に小さくなり、少ない個数の光源で導光板の広い領域を照明して使用できる有効領域を広くすることができる。
【００１７】
また、切欠部はＬ字形の切欠け形状にすると、加工性が容易で導光板の製作が容易にできる。
【００１８】
また、角部に設ける切欠部は角部を切り落とした形状又はＬ字形の切欠け形状を取る。何れも加工性が容易なことから、導光板の製作が容易にできる。また、角部を切り落とした形状は角部に広いスペースが得られることから、光源の位置の調整などに利便性が生まれる。
【００１９】
また、光源を切欠部に埋め込むような形で配設することにより、導光板の大きさの中に光源も収納される構造となるので、バックライトユニットそのものを導光板の大きさと同じ大きさにすることができて、小型化されたコンパクトなバックライトユニットに纏めることができる。そして、運搬上や組立上で、ユニットの外形に凹凸がないので取扱い易さが生まれてくる。
【００２０】
また、光源にＬＥＤを用いることにより、小型であり、コスト的にも安いことからバックライトユニットを小型に纏めることができると共に製造コストの低減が図れる。また、低い電圧で駆動できることから電力消費量の削減と長寿命化が図れる。
【００２１】
以上の効果を持つバックライトユニットを表示機器に用いることにより、光源の数が少なくなって経済的であり、小型でコンパクトに纏まったバックライトユニットにより表示パネルとの組み合わせた表示機器も小型化が可能となる。
【発明を実施するための最良の形態】
【００２２】
以下、本発明を実施するための最良の形態を説明する。最初に、本発明の第１実施形態に係るバックライトユニットを図１〜図３を用いて説明する。ここで、図１は本発明の第１実施形態に係るバックライトユニットを備えた表示装置の側面図を示している。また、図２は図１におけるバックライトユニットの導光板と光源との配置を示した平面図、図３は図２におけるＡ部の拡大図を示している。
【００２３】
図１より、表示装置２０は表示パネル１１の下面側にバックライトユニット１８を備えて、表示機器の表示装置として用いられる。表示パネル１１は液晶を上下の透明基板に封入した液晶表示パネルからなっている。バックライトユニット１８は、導光板１２と、導光板の角部の近くに配設したＬＥＤなる光源１３と、導光板１２の上面側に配設した光拡散シート１４と、この光拡散シート１４上に設けた２枚の第１のプリズムシート１５及び第２のプリズムシート１６と、導光板１２の下面側に設けた反射板１７とから構成している。ここでの第１のプリズムシート１５と第２のプリズムシート１６は三角形のプリズムを直線状に平行に連ねて形成したストライプ状のプリズムシートで、第１のプリズムシート１５と第２のプリズムシート１６とはストライプ状のプリズムが互いに直交する状態に配置されて積層されて用いられている。  
【００２４】
導光板１２は、図２に示すように、隅の角部１２ｅの近くにＬ字形の形状に切り取った切欠部１２ａが設けてあり、この切欠部１２ａの所にＬＥＤなる光源１３が埋め込むような状態で配設されている。ここで、斜線で示した１２ｆは見栄えの悪い暗影部を示しており、光源１３のＬＥＤが指向特性を持っていることから、光放射の指向角（指向領域内の角度を云う）の領域から外れて光が行き届かなくて輝度が低く、暗くなる部分を指している。輝度の高い指向角の領域内と比べると輝度が低く、暗いが故に見栄えが悪くなって見える。また、一点鎖線で示した所の１２ｃは光源１３を配設する側の導光板１２の辺中央部を指している。また、二点鎖線で示した１２ｄは角部１２ｅと結んだ対角線を指している。
【００２５】
第１実施形態における切欠部１２ａは角部１２ｅに非常に近い位置に設けてある。図３に示すように、この切欠部１２ａは切欠による辺１２ｇ１と辺１２ｇ２とからなるＬ字形の切欠け形状を取っている。そして、辺１２ｇ１が光源１３の光の入光面になっている。辺１２ｇ１の入光面から入射した光は、図示はしていないが、導光板１２の下面に設けたサーキュラープリズムなどの反射手段を介して導光板１２の奥深くまで導かれ、そして導光板１２の上面から光拡散シート１４に向かって出射されるようになっている。
【００２６】
光源１３の光の入光面となる辺１２ｇ１は角部１２ｅと結ぶ対角線１２ｄの方向に向くように、傾斜角θを持って傾斜させて設けられる。この対角線１２ｄの位置は導光板１２の一番長い距離を持ち、広い面積を持つ部分に当たるので、この一番広い部分を大きく照明するために入光面を対角線１２ｄの方向に向くように設けている。このような構成を取ると、１個の光源で導光板の広い領域を照明することができるようになる。
【００２７】
本第１実施形態においては、切欠部１２ａを角部１２ｅに近い位置に設けたが、本発明においては、切欠部１２ａは辺中央部１２ｃから角部１２ｅとの間に設けるようにする。そして、受光面が対角線１２ｄの方向に向くように傾斜を付けて形成する。切欠部１２ａが辺中央部１２ｃに近い位置にあっては傾斜角θを小さくし、切欠部１２ａが角部１２ｅにあっては傾斜角θを大きくする。このようにすると、対角線１２ｄの領域が光源１３の指向角の領域に十分収まり、導光板１２の広い領域が照明できるようになる。
【００２８】
このような構成を取ることにより、図２に示すように、斜線で示した暗影部１２ｆの領域が非常に小さくなり、輝度の明るい有効領域が非常に広く取れる。従って、導光板１２をさほど大きくする必要もなくなり、小さくすることができる。
【００２９】
また、導光板１２が小さくでき、光源１３を切欠部１２ａに埋め込むような形で配設することから光源１３を含めた大きさは小さくできる。このことは、バックライトユニット１８自体を小型に纏めることができる。従って、本発明のバックライトユニット１８を備えた表示機器にあっては、小型にコンパクトに纏められた表示装置２０が得られ、明るく照明された表示を見ることができる。また、表示機器の小型化も可能になる。また、使用する光源１３の数も少なくなることからコスト低減の効果も生む。
【００３０】
このような形状を取る導光板１２は透明なポリカーボネイトなどの樹脂を用いて切欠部１２ａを設けた状態で射出成形方法で形成する。切欠部１２ａの辺１２ｇ１、１２ｇ２は鏡面に形成した金型からの転写によって光沢面に仕上げられる。切欠部１２ａはＬ字形の形状を取っているので成形性も容易である。また、図示はしていないが、導光板１２の下面にはサーキュラープリズムなどの反射手段が設けられるが、これも金型からの転写方法によって成形される。尚、導光板１２に用いる樹脂はポリカーボネイト樹脂に限らず、耐熱性、耐湿性、耐衝撃性、耐薬品性に優れた樹脂を用いることができる。例えば、そのような樹脂としてポリイミド樹脂、ポリエチレン樹脂、ポリエチレンテレフタレート樹脂、アクリル樹脂などを挙げることができる。
【００３１】
光源１３にはＬＥＤを用いる。小型であり、輝度も高く、コストも安い。また、低電圧駆動することから電力消費量も小さくて済む。バックライトユニットの小型化に効果を発揮すると共に長寿命を図ることができる。
【００３２】
光拡散シート１４は、シリカ粒子などの光拡散粒子を分散した樹脂シート、表面に微小な凹凸を設けた樹脂シートなどを用いる。光を透過すると共に光の拡散機能を果たす。
【００３３】
第１のプリズムシート１５と第２のプリズムシート１６は三角形のプリズムを直線状に平行に連ねて形成したストライプ状のプリズムシートである。第１のプリズムシート１５と第２のプリズムシート１６とはストライプ状のプリズムが互いに直交する状態で積層して用いているもので、同一部材からなっている。光拡散シート１４によって均一状態に拡散した光を垂直光にして輝度を高める働きをなしている。  
【００３４】
反射板１７は導光板１２を透過した光を反射して再び導光板１２内に光を戻す働きをなす。反射率の高いＡｌ金属板や反射率の高いＡｇ、Ｎｉ、Ｃｒ、Ｐｄなどの金属メッキを施した金属板、Ａｌ、Ａｇなどの金属蒸着膜を施したシート、Ａｌ箔などを設けたシート、白色色調を持った樹脂板などが反射板として用いることができる。
【００３５】
尚、第１実施形態でのバックライトユニット１８は導光板１２、ＬＥＤなる光源１３、光拡散シート１４、第１のプリズムシート１５、第２のプリズムシート１６、反射板１７とで構成したものであるが、本発明のバックライトユニットは特にこの構成に限るものではない。例えば、２枚用いたプリズムシートを１枚減らし、１枚のプリズムシートで構成することもできる。また、プリズムシートを全く用いないで構成することもできる。また、反射板１７に代えて反射手段を有してこれらの構成部品を保持して収納する収納ケースを用いてバックライトユニットを構成しても良いものである。
【００３６】
次に、本発明の第２実施形態に係るバックライトユニットを図４を用いて説明する。図４は本発明の第２実施形態に係るバックライトユニットの導光板と光源との配置を示した平面図を示している。
【００３７】
図４において、導光板２２の辺中央部２２ｃと角部２２ｅとの間に２箇所の切欠部を設けている。１箇所は辺中央部２２ｃの図中左側の近くにＬ字形状の切欠部２２ａ１があり、もう１箇所は角部２２ｅの所に角部２２ｅを切り落としての切欠部２２ａ２がある。そして、その２箇所の切欠部２２ａ１、２２ａ２の所に光源２３のＬＥＤを少し埋め込む形で配設してある。辺２２ｇ１は切欠部２２ａ１における光源２３からの放射光の入光面であり、辺２２ｇ２は切欠部２２ａ２における光源２３からの放射光の入光面をなしている。この２つの入光面はこの導光板２２の角部２２ｅを通る対角線２２ｄに向く方向で傾斜を持って設けられており、辺２２ｇ１のなす入光面の傾斜角θは小さく、辺２２ｇ２のなす入光面の傾斜角θは大きくなっている。導光板２２のサイズが大きいために２個のＬＥＤでもって導光板２２の全体を明るく照明する構成を取っている。
【００３８】
上記の構成を取ることによって、導光板２２の大きさが大きくなっても光源２３の数は最小限の数の増加に留まり、暗影部２２ｆの面積を小さく押さえて導光板２２の広い領域を輝度の明るい有効領域として使用することができる。従って、導光板２２の大きさを小さくすることができる。
【００３９】
なお、本第２実施形態においては、光源２３を２個用いたもので示したが、導光板２２の大きさに応じて適宜に個数を設定すると良い。
【００４０】
また、本第２実施形態においては、角部２２ｅの切欠部２２ａ２は切り落とし形状の切欠部としたが、Ｌ字形の形状を取っても何ら支障はない。角部２２ｅの切り落とし形状は光源２３の位置調整の面で利便性が得られる。
【００４１】
この導光板２２は、前述の第１実施形態で用いた導光板と同様に、ポリカーボネイト樹脂などの耐熱性、耐湿性、耐衝撃性、耐薬品性に優れた樹脂を用いて射出成形方法によって形成する。２つの切欠部２２ａ１、２２ａ２も射出成形時に形成する。また、辺２２ｇ１、辺２２ｇ２の２つの入光面も金型からの転写によって光沢面に仕上げられる。光沢面であると、入光した光に光拡散を発生せずにして導光板２２の奥深くまで光を導くことができる。また、図示はしていないが、導光板２２の下面には光反射手段が設けられており、その反射手段によって導光板２２の上面から光を出射したり、導光板２２の奥の方に光を導くなどの働きがなされる。
【００４２】
第２実施形態のバックライトユニットは、図４で示した配置構造を取る導光板２２とＬＥＤなる光源２３と、光拡散シート、第１のプリズムシート、第２のプリズムシート、反射板などで構成している。光拡散シート、第１のプリズムシート、第２のプリズムシート、反射板は前述の第１実施形態で用いた仕様のものと同じ仕様のものを用いているが、必ずしもこの構成に限るものではなく、例えば、２枚用いたプリズムシートを１枚減らし、１枚のプリズムシートで構成することもできる。また、プリズムシートを全く用いないで構成することもできる。また、反射板に代えて反射手段を有してこれらの構成部品を保持して収納する収納ケースを用いてバックライトユニットを構成しても良いものである。
【００４３】
次に、本発明の第３実施形態に係るバックライトユニットを図５を用いて説明する。図５は本発明の第３実施形態に係るバックライトユニットの導光板と光源との配置を示した平面図を示している。
【００４４】
第３実施形態に係るバックライトユニットの導光板と光源との配置関係は、図５に示すように、ＬＥＤなる光源３３を導光板３２に設けた切欠部３２ａの中に完全に埋め込んだ状態で配設した構成を取っている。従って、導光板３２の大きさの中にＬＥＤなる光源３３が配設、収納されている。切欠部３２ａは角部３２ｅにＬ字形の形状で設けられている。そして、そのＬ字形の形状の中にＬＥＤなる光源３３が導光板３２の外にはみ出すことなく埋め込まれたような状態で配設してある。切欠部３２ａの辺３２ｇ１は光源３３の光を入光する入光面になっており、この入光面は角部３２ｅを通る対角線３２ｄの方向を向いた状態に形成されている。
【００４５】
上記の構成を取った導光板３２は、光源３３を完全に埋め込んだ状態にしているので、図中での縦方向の幅は光源３３が飛び出さない程度に大き目にする必要がある。しかしながら、バックライトユニット全体の大きさを導光板３２の大きさと同じ大きさにすることができ、導光板３２と同じ大きさでバックライトユニットをコンパクトに纏めることができる。バックライトユニットとして、外回りの形状に凹凸がなくなるので運搬上や組立上での取扱い利便性が生まれてくる。
【００４６】
第３実施例では、図５に示すように、光源を１個用いたものを示したが、導光板が大きく光源を２個、３個と必要とする場合においても、切欠部を深くして全ての光源を導光板の外にはみ出さないように配設する。
【００４７】
上記の形状を取る導光板３２は、前述の第１実施形態、及び第２実施形態で用いた導光板と同様に、ポリカーボネイト樹脂などの耐熱性、耐湿性、耐衝撃性、耐薬品性に優れた樹脂を用いて射出成形方法によって形成する。切欠部３２ａも射出成形時に形成し、受光面となる辺３２ｇ１も金型からの転写方法でもって光沢面に仕上げている。また、図５に図示はしていないが、導光板３２の下面には光反射手段を設けている。
【００４８】
第３実施形態のバックライトユニットは、図５で示した配置構造を取る導光板３２とＬＥＤなる光源３３と、光拡散シート、第１のプリズムシート、第２のプリズムシート、反射板などで構成している。光拡散シート、第１のプリズムシート、第２のプリズムシート、反射板は前述の第１実施形態で用いた仕様のものと同じ仕様のものを用いているが、必ずしもこの構成に限るものではなく、例えば、２枚用いたプリズムシートを１枚減らし、１枚のプリズムシートで構成することもできる。また、プリズムシートを全く用いないで構成することもできる。また、反射板に代えて反射手段を有してこれらの構成部品を保持して収納する収納ケースを用いてバックライトユニットを構成しても良いものである。
【００４９】
以上、本発明のバックライトユニットについて第１実施形態から第３実施形態を用いて詳しく説明した。本発明のバックライトユニットを用いた表示機器にあっては、従来技術で説明したバックライトユニットと比較すると、使用する光源の数が非常に少なくて済み、コストメリットが得られる。また、導光板の大きさを小さく押さえられることからバックライトユニットそのものを小型化が可能になり、表示機器の表示装置を小型にしてコンパクトに纏められると云う効果を生む。また、導光板における輝度の高い領域を広く得られることから、有効的に使用できる領域も広く取れる。これにより、輝度の低い暗影部などが表示パネルに現れることがなくなり、輝度ムラのない全体的に輝度の高い明るい表示が得られる。
【図面の簡単な説明】
【００５０】
【図１】本発明の第１実施形態に係るバックライトユニットを備えた表示装置の側面図である。
【図２】図１におけるバックライトユニットの導光板と光源との配置を示した平面図である。
【図３】図２におけるＡ部の拡大図である。
【図４】本発明の第２実施形態に係るバックライトユニットの導光板と光源との配置を示した平面図である。
【図５】本発明の第３実施形態に係るバックライトユニットの導光板と光源との配置を示した平面図である。
【図６】従来技術における液晶表示装置の要部断面図である。
【図７】図６における光源の配設個数による導光板の大きさを説明する説明図である。
【符号の説明】
【００５１】
１１    表示パネル
１２、２２、３２    導光板
１２ａ、２２ａ１、２２ａ２、３２ａ    切欠部
１２ｃ、２２ｃ      辺中央部
１２ｄ、２２ｄ、３２ｄ    対角線
１２ｅ、２２ｅ、３２ｅ    角部
１２ｆ、２２ｆ      暗影部
１２ｇ１、１２ｇ２、２２ｇ１、２２ｇ２、３２ｇ１    辺
１３、２３、３３    光源
１４    光拡散シート
１５    第１のプリズムシート
１６    第２のプリズムシート
１７    反射板
θ      傾斜角
【図１】
0004623733.tif 000002
【図２】
0004623733.tif 000003
【図３】
0004623733.tif 000004
【図４】
0004623733.tif 000005
【図５】
0004623733.tif 000006
【図６】
0004623733.tif 000007
【図７】
0004623733.tif 000008